(57)【要約】【課題】情報操作或いは情報漏えいの把握とプライバシ保護との両立が可能となるログ情報管理装置、及びログ情報管理方法を提供することを目的とする。【解決手段】第一ログ情報保持部２０は、第一ログ操作制御部５２により、システム、及び端末１の管理者による操作が可能となるように制御され、第二ログ情報保持部３０は、第二ログ操作制御部５３により、システム以外のアプリケーション、及び、端末１の使用者による操作が可能となるように制御され、ログ情報は、ログ情報の種別毎に第一ログ情報保持手段、第二ログ情報保持手段、又は、第一ログ情報保持手段及び第二ログ情報保持手段、のうち何れかに保持される。【選択図】図１
2010114751.tif 000002
【特許請求の範囲】
【請求項１】
端末における操作内容の記憶としてのログ情報を管理するログ情報管理装置であって、
前記ログ情報を保持する第一ログ情報保持手段と、
前記ログ情報を保持する第二ログ情報保持手段と、
前記端末に搭載されたログ機能提供に係る基幹的プログラムとしてのシステム、及び前記端末の管理者による操作が可能となるように前記第一ログ情報保持手段を制御する第一ログ操作制御手段と、
前記システム以外のアプリケーション、及び前記端末の使用者による操作が可能となるように前記第二ログ情報保持手段を制御する第二ログ操作制御手段と、
を備え、
前記ログ情報は、前記ログ情報の種別毎に、前記第一ログ情報保持手段、前記第二ログ情報保持手段、又は、前記第一ログ情報保持手段及び前記第二ログ情報保持手段、のうち何れかに保持される、
ことを特徴とするログ情報管理装置。
【請求項２】
前記第一ログ操作制御手段は、前記システム、及び前記端末の管理者によるログ操作、及びアクセスポリシの設定が可能となるように前記第一ログ情報保持手段を制御し、
前記第二ログ操作制御手段は、前記システム以外のアプリケーション、及び前記端末の使用者によるログ操作、及びアクセスポリシの設定が可能となるように前記第二ログ情報保持手段を制御し、
前記アクセスポリシは、前記ログの種別毎に、及び前記端末において又はネットワークを通じて実行されるアプリケーションプログラム毎に、実行可能な操作を設定する情報であり、当該実行可能である操作には、該当するログ種別について収集、読み込み、及び書き込みの少なくとも一つを含むことを特徴とする請求項１に記載のログ情報管理装置。
【請求項３】
前記第二ログ操作制御手段は、前記第一ログ操作制御手段において所定のログ種別に対する所定の操作、或いは所定のアクセスポリシの設定がなされた場合に、当該操作或いは設定に基づいて前記第二ログ情報保持手段に保持されているログ情報を制御する、
ことを特徴とする請求項１に記載のログ情報管理装置。
【請求項４】
前記第一ログ操作制御手段は、前記第二ログ操作制御手段において所定のログ種別に対する所定の操作、或いは所定のアクセスポリシの設定がなされた場合に、当該操作或いは設定に基づいて前記第一ログ情報保持手段に保持されているログ情報を制御する、
ことを特徴とする請求項１に記載のログ情報管理装置。
【請求項５】
前記第一ログ操作制御手段は、前記第一ログ情報保持手段に保持されているログ情報を暗号化し、
前記第二ログ操作制御手段は、前記第二ログ情報保持手段に保持されているログ情報を前記第一ログ操作制御手段による暗号化とは別の鍵により暗号化する、
ことを特徴とする請求項１に記載のログ情報管理装置。
【請求項６】
情報管理が必要である情報としての要管理情報を保持する要管理情報保持手段と、
前記端末外から送信された操作指示に関する情報を受信する遠隔命令受信手段と、
前記遠隔命令受信手段が、前記操作指示に関する情報としてデータ消去指示に関する情報を受信した場合に、前記第一ログ情報保持手段、前記第二ログ情報保持手段、及び、前記要管理情報保持手段に保持されている情報のうちの少なくとも一部を消去する情報消去手段と、
を更に備えることを特徴とする請求項１に記載のログ情報管理装置。
【請求項７】
情報管理が必要である情報としての要管理情報を保持する要管理情報保持手段と、
前記端末外から送信された操作指示に関する情報を受信する遠隔命令受信手段と、
前記遠隔命令受信手段が、前記操作指示に関する情報としてバックアップ指示に関する情報を受信した場合に、前記要管理情報保持手段に保持されている情報のうちの少なくとも一部からバックアップデータを作成するバックアップデータ作成手段と、
前記バックアップデータ作成手段が作成したバックアップデータを、前記端末外に送信するバックアップデータ送信手段と、
を更に備えることを特徴とする請求項１に記載のログ情報管理装置。
【請求項８】
前記端末外から発信された操作指示に関する情報を受信する遠隔命令受信手段と、
前記遠隔命令受信手段が、前記操作指示に関する情報として操作制限指示に関する情報を受信した場合に、所定の操作を無効とする操作制限手段と、
を更に備えることを特徴とする請求項１に記載のログ情報管理装置。
【請求項９】
前記端末外から発せられた操作指示に関する情報を受信する遠隔命令受信手段と、
前記遠隔命令受信手段が、前記操作指示に関する情報としてロック実行指示に関する情報を受信した場合に、所定の機能を無効とするロック実行手段と、
を更に備えることを特徴とする請求項１に記載のログ情報管理装置。
【請求項１０】
前記端末外から送信された操作指示に関する情報を受信する遠隔命令受信手段と、
前記遠隔命令受信手段が、前記操作指示に関する情報としてログ送信指示に関する情報を受信した場合に、前記第一ログ情報保持手段に保持されている情報、及び前記第二ログ情報保持手段に保持されている情報のうち少なくとも一部からログ送信用データを作成するログ送信用データ作成手段と、
前記ログ送信用データ作成手段が作成したログ送信用データを、前記端末外に送信するログ送信手段と、
を更に備えることを特徴とする請求項１に記載のログ情報管理装置。
【請求項１１】
前記ログ送信用データ作成手段は、作成する前記ログ送信用データに前記要管理情報の操作履歴情報を含めることを特徴とする請求項１０に記載のログ情報管理装置。
【請求項１２】
前記ログ送信用データ作成手段は、削除された前記要管理情報を特定する情報、及び削除時刻を前記ログ送信用データに含めることを特徴とする請求項１１に記載のログ情報管理装置。
【請求項１３】
前記第一ログ情報保持手段及び前記第二ログ情報保持手段の一方又は両方は、前記ログ情報を前記端末の使用者を示す情報と関連付けて保持し、
前記ログ送信用データ作成手段は、前記遠隔命令受信手段が受信する操作指示に関する情報が、前記端末の使用者を特定して送信されたものである場合に、当該使用者を示す情報と関連付けられて保持されている情報に基づいて前記ログ送信用データを作成する、
ことを特徴とする請求項１０〜１２のいずれか一項に記載のログ情報管理装置。
【請求項１４】
前記ログ送信用データ作成手段は、前記端末の使用者を示す情報を加工した情報を前記ログ送信用データに含めることを特徴とする請求項１３に記載のログ情報管理装置。
【請求項１５】
前記ログ送信用データ作成手段は、
前記使用者を示す情報を加工した情報として複数の識別子を有し、
当該複数の識別子のうち少なくとも一つを前記ログ送信用データに含める、
ことを特徴とする請求項１４に記載のログ情報管理装置。
【請求項１６】
前記ログ送信用データ作成手段は、前記遠隔命令受信手段が受信する操作指示に関する情報が、前記端末を特定して送信されたものである場合に、前記第一ログ情報保持手段、及び前記第二ログ情報保持手段に保持されている前記ログ情報の中で不正利用に関わるログ種別であるログ情報に基づいて前記ログ送信用データを作成する、
ことを特徴とする請求項１０〜１２のいずれか一項に記載のログ情報管理装置。
【請求項１７】
端末における操作内容の記憶としてのログ情報を管理するログ情報管理方法であって、
第一ログ情報保持手段を、前記端末に搭載されたログ機能提供に係る基幹的プログラムとしてのシステム、及び前記端末の管理者による操作が可能となるように制御する第一ログ操作制御ステップと、
第二ログ情報保持手段を、前記システム以外のアプリケーション、及び、前記端末の使用者による操作が可能となるように制御する第二ログ操作制御ステップと、
を備え、
前記ログ情報は、前記ログ情報の種別毎に、前記第一ログ情報保持手段、前記第二ログ情報保持手段、又は、前記第一ログ情報保持手段及び前記第二ログ情報保持手段、のうち何れかに保持される、
ことを特徴とするログ情報管理方法。
【発明の詳細な説明】
【技術分野】
【０００１】
本発明は、ログ情報管理装置、及びログ情報管理方法に関する。
【背景技術】
【０００２】
端末の内部には電話帳、メール、或いは業務ファイルなどの個人情報、業務情報が数多く存在している。特許文献１には、それらの情報の漏洩の防止、及び端末の不正利用の防止のために遠隔から指示することで通信端末の機能を無効とする技術が開示されている。
【特許文献１】特開平７−１９３８６５号公報
【発明の開示】
【発明が解決しようとする課題】
【０００３】
しかしながら、特許文献１に記載された発明では以下の課題がある。すなわち、端末の使用者によるログ情報の削除、修正、或いはアクセスポリシの設定を可能とした場合、紛失或いは盗難時に第三者による情報の操作或いは情報漏えいの把握は、第三者によってログ情報を削除等されることにより困難となる。
【０００４】
一方、端末の管理者或いはシステムによるログ情報の削除、修正、或いはアクセスポリシの設定を可能とした場合、端末の使用者のプライバシは、端末の管理者或いはシステムによる表示、分析等により完全には保護されない場合がある。
【０００５】
従って、第三者による情報操作或いは情報漏えいの把握とプライバシ保護との両立が困難であるという課題があった。
【０００６】
そこで上記課題を解決するために、本発明では、情報操作或いは情報漏えいの把握とプライバシ保護との両立が可能となるログ情報管理装置、及びログ情報管理方法を提供することを目的とする。
【課題を解決するための手段】
【０００７】
上記課題を解決するために、本発明のログ情報管理装置は、端末における操作内容の記憶としてのログ情報を管理するログ情報管理装置であって、ログ情報を保持する第一ログ情報保持手段と、ログ情報を保持する第二ログ情報保持手段と、端末に搭載されたログ機能提供に係る基幹的プログラムとしてのシステム、及び端末の管理者による操作が可能となるように第一ログ情報保持手段を制御する第一ログ操作制御手段と、システム以外のアプリケーション、及び端末の使用者による操作が可能となるように第二ログ情報保持手段を制御する第二ログ操作制御手段と、を備え、ログ情報は、ログ情報の種別毎に、第一ログ情報保持手段、第二ログ情報保持手段、又は、第一ログ情報保持手段及び第二ログ情報保持手段、のうち何れかに保持される、ことを特徴とする。
【０００８】
この構成により、第一ログ情報保持手段は、ログ情報を保持し、第二ログ情報保持手段は、ログ情報を保持し、第一ログ操作制御手段は、端末に搭載されたログ機能提供に係る基幹的プログラムとしてのシステム、及び端末の管理者による操作が可能となるように第一ログ情報保持手段を制御し、第二ログ操作制御手段は、システム以外のアプリケーション、及び端末の使用者による操作が可能となるように第二ログ情報保持手段を制御し、ログ情報は、ログ情報の種別毎に、第一ログ情報保持手段、第二ログ情報保持手段、又は、第一ログ情報保持手段及び第二ログ情報保持手段、のうち何れかに保持されるため、端末の使用者のプライバシに関するログ情報と、第三者による情報の操作或いは情報漏えいの把握に利用可能であるログ情報と、を分けて管理できることとなり、第三者による情報操作或いは情報漏えいの把握とプライバシ保護とを両立させることが可能となる。
【０００９】
また、本発明のログ情報管理装置においては、第一ログ操作制御手段は、システム、及び端末の管理者によるログ操作、及びアクセスポリシの設定が可能となるように第一ログ情報保持手段を制御し、第二ログ操作制御手段は、システム以外のアプリケーション、及び端末の使用者によるログ操作、及びアクセスポリシの設定が可能となるように第二ログ情報保持手段を制御し、アクセスポリシは、ログの種別毎に、及び端末において又はネットワークを通じて実行されるアプリケーションプログラム毎に、実行可能な操作を設定する情報であり、当該実行可能である操作には、該当するログ種別について収集、読み込み、及び書き込みの少なくとも一つを含むことが好適である。
【００１０】
この構成により、端末の管理者、及び使用者は夫々アクセスポリシとしてログの種別毎に、及び端末において又はネットワークを通じて実行されるアプリケーションプログラム毎に、実行可能な操作を設定できるため、端末の管理者は第三者による情報操作或いは情報漏えいの把握に利用可能であるログ情報を保護し、端末の使用者はプライバシ保護に必要なログ情報を保護する設定をすることで、より確実に第三者による情報操作或いは情報漏えいの把握とプライバシ保護とを両立させることが可能となる。
【００１１】
また、本発明のログ情報管理装置は、第二ログ操作制御手段は、第一ログ操作制御手段において所定のログ種別に対する所定の操作、或いは所定のアクセスポリシの設定がなされた場合に、当該操作或いは設定に基づいて第二ログ情報保持手段に保持されているログ情報を制御する、ことが好適である。
【００１２】
この構成により、第二ログ操作制御手段は、第一ログ操作制御手段において所定のログ種別に対する所定の操作、或いは所定のアクセスポリシの設定がなされた場合に、当該設定に基づいて第二ログ情報保持手段におけるログ操作及びアクセスポリシを制御するため、特定の場合にシステム或いは端末の管理者は第二ログ情報保持手段に保持されているログ情報からの情報漏えいなどを防止することが可能となる。
【００１３】
また、本発明のログ情報管理装置は、第一ログ操作制御手段は、第二ログ操作制御手段において所定のログ種別に対する所定の操作、或いは所定のアクセスポリシの設定がなされた場合に、当該操作或いは設定に基づいて前記第一ログ情報保持手段に保持されているログ情報を制御する、ことが好適である。
【００１４】
この構成により、第一ログ操作制御手段は、第二ログ操作制御手段において所定のログ種別に対する所定の操作、或いは所定のアクセスポリシの設定がなされた場合に、当該設定に基づいて前記第一ログ情報保持手段におけるログ操作及びアクセスポリシを制御するため、特定の場合に端末の使用者は、第一ログ情報保持手段に保持されているログ情報に対してもプライバシ保護のための処置を取ることが可能となる。
【００１５】
また、本発明のログ情報管理装置は、第一ログ操作制御手段は、第一ログ情報保持手段に保持されているログ情報を暗号化し、第二ログ操作制御手段は、第二ログ情報保持手段に保持されているログ情報を第一ログ操作制御手段による暗号化とは別の鍵を利用して暗号化する、ことが好適である。
【００１６】
この構成により、第一ログ操作制御手段は、第一ログ情報保持手段に保持されているログ情報を暗号化し、第二ログ操作制御手段は、第二ログ情報保持手段に保持されているログ情報を第一ログ操作制御手段による暗号化とは別の鍵を利用して暗号化するため、端末を紛失した場合等にログ情報を第三者から保護することが可能となる。また、別々の鍵を用いているため、システム或いは端末の管理者が第二ログ情報保持手段に保持されているログ情報を操作等できてしまうこと、及び、端末の使用者が第一ログ情報保持手段に保持されているログ情報を操作等できてしまうことを防止することが可能となる。
【００１７】
また、本発明のログ情報管理装置は、情報管理が必要である情報としての要管理情報を保持する要管理情報保持手段と、端末外から送信された操作指示に関する情報を受信する遠隔命令受信手段と、遠隔命令受信手段が、操作指示に関する情報としてデータ消去指示に関する情報を受信した場合に、第一ログ情報保持手段、第二ログ情報保持手段、及び、要管理情報保持手段に保持されている情報のうちの少なくとも一部を消去する情報消去手段と、を更に備えることが好適である。
【００１８】
この構成により、要管理情報保持手段は、情報管理が必要である情報としての要管理情報を保持し、遠隔命令受信手段は、端末外から送信された操作指示に関する情報を受信し、情報消去手段は、遠隔命令受信手段が操作指示に関する情報としてデータ消去指示に関する情報を受信した場合に、第一ログ情報保持手段、第二ログ情報保持手段、及び、要管理情報保持手段に保持されている情報のうちの少なくとも一部を消去するため、端末を紛失してしまった場合などに、第三者による情報操作或いは情報漏えいの把握に利用可能であるログ情報、端末の使用者はプライバシ保護に関するログ情報、或いはその両方、を選択的に消去することが可能となる。
【００１９】
また、本発明のログ情報管理装置は、情報管理が必要である情報としての要管理情報を保持する要管理情報保持手段と、端末外から送信された操作指示に関する情報を受信する遠隔命令受信手段と、遠隔命令受信手段が、操作指示に関する情報としてバックアップ指示に関する情報を受信した場合に、要管理情報保持手段に保持されている情報のうちの少なくとも一部からバックアップデータを作成するバックアップデータ作成手段と、バックアップデータ作成手段が作成したバックアップデータを、端末外に送信するバックアップデータ送信手段と、を更に備えることが好適である。
【００２０】
この構成により、要管理情報保持手段は、情報管理が必要である情報としての要管理情報を保持し、バックアップデータ作成手段は、遠隔命令受信手段がバックアップ指示に関する情報を受信した場合に、要管理情報保持手段に保持されている情報のうちの少なくとも一部からバックアップデータを作成し、バックアップデータ送信手段は、バックアップデータ作成手段が作成したバックアップデータを、端末外に送信するため、第三者の攻撃から要管理情報を守ることが可能となる。
【００２１】
また、本発明のログ情報管理装置は、端末外から発信された操作指示に関する情報を受信する遠隔命令受信手段と、遠隔命令受信手段が、操作指示に関する情報として操作制限指示に関する情報を受信した場合に、所定の操作を無効とする操作制限手段と、を更に備えることが好適である。
【００２２】
この構成により、操作制限手段は、遠隔命令受信手段が操作指示に関する情報として操作制限指示に関する情報を受信した場合に、所定の操作を無効とするため、第三者による、電源切断、通信遮断又は通信機能の使用等を防止することが可能となる。
【００２３】
また、本発明のログ情報管理装置は、端末外から発せられた操作指示に関する情報を受信する遠隔命令受信手段と、遠隔命令受信手段が、操作指示に関する情報としてロック実行指示に関する情報を受信した場合に、所定の機能を無効とするロック実行手段と、を更に備えることが好適である。
【００２４】
この構成により、ロック実行手段は、遠隔命令受信手段が操作指示に関する情報としてロック実行指示に関する情報を受信した場合に、所定の機能を無効とするため、第三者による端末からの決済行為等を防止することが可能となる。
【００２５】
また、本発明のログ情報管理装置は、端末外から送信された操作指示に関する情報を受信する遠隔命令受信手段と、遠隔命令受信手段が、操作指示に関する情報としてログ送信指示に関する情報を受信した場合に、第一ログ情報保持手段に保持されている情報、及び第二ログ情報保持手段に保持されている情報のうちの少なくとも一部からログ送信用データを作成するログ送信用データ作成手段と、ログ送信用データ作成手段が作成したログ送信用データを、端末外に送信するログ送信手段と、を更に備えることが好適である。
【００２６】
この構成により、ログ送信用データ作成手段は、遠隔命令受信手段が操作指示に関する情報としてログ送信指示に関する情報を受信した場合に、第一ログ情報保持手段に保持されている情報、及び第二ログ情報保持手段に保持されている情報のうちの少なくとも一部からログ送信用データを作成し、ログ送信手段は、ログ送信用データ作成手段が作成したログ送信用データを端末外に送信するため、端末を紛失してしまった場合などに、第三者による情報操作或いは情報漏えいの把握に利用可能であるログ情報、端末の使用者のプライバシ保護に関するログ情報、或いはその両方、を選択的に外部に送信することが可能となり、第三者による情報操作或いは情報漏えいの把握と端末の所有者のプライバシ保護との両立がより確実となる。
【００２７】
また、本発明のログ情報管理装置は、ログ送信用データ作成手段は、作成するログ送信用データに要管理情報の操作履歴情報を含めることが好適である。
【００２８】
その構成により、要管理情報の操作履歴情報がログ送信用データに含まれることとなり、第三者が要管理情報を操作したか否かを把握することが可能となる。
【００２９】
また、本発明のログ情報管理装置は、ログ送信用データ作成手段は、削除された要管理情報を特定する情報、及び削除時刻をログ送信用データに含めることが好適である。
【００３０】
この構成により、ログ送信用データ作成手段は、削除された要管理情報を特定する情報、及び削除時刻をログ送信用データに含めるため、第三者による要管理情報の操作内容をより詳細に把握することが可能となる。
【００３１】
また、本発明のログ情報管理装置は、第一ログ情報保持手段及び前記第二ログ情報保持手段の一方又は両方は、ログ情報を前記端末の使用者を示す情報と関連付けて保持し、ログ送信用データ作成手段は、遠隔命令受信手段が受信する操作指示に関する情報が、端末の使用者を特定して送信されたものである場合に、当該使用者を示す情報と関連付けられて保持されている情報に基づいてログ送信用データを作成する、ことが好適である。
【００３２】
この構成により、ログ送信用データ作成手段は、ログ送信指示に関する情報が例えばＵＩＭ（User Identity Module）の識別子を特定する等、端末の使用者を特定して送信されたものである場合に、第一ログ情報保持手段及び第二ログ情報保持手段にＵＩＭ識別子等と関連付けられて保持されているログ情報のうち、ログ送信指示に関する情報が特定するＵＩＭ識別子と関連付けられて保持されている情報からログ送信用データを作成することとなり、正規に複数人が同じ端末を使用している場合など、他の使用者のログ情報を送信することが無いため、より適切に端末の使用者のプライバシを保護することが可能となる。
【００３３】
また、本発明のログ情報管理装置は、ログ送信用データ作成手段は、端末の使用者を示す情報を加工した情報をログ送信用データに含めることが好適である。
【００３４】
この構成により、ログ送信用データ作成手段は、ＵＩＭ識別子等、端末の使用者を示す情報を暗号化して送信するためログ情報のネットワークへの流出や、サーバへの不正サクセスにより、ログ情報が悪意を持った人間にさらされた場合に当該ログ情報を生成した使用者が特定され、プライバシが侵害される危険性を減少させることができる。
【００３５】
また、本発明のログ情報管理装置は、ログ送信用データ作成手段は、使用者を示す情報を加工した情報として複数の識別子を有し、当該複数の識別子のうち何れか一つをログ送信用データに含める、ことが好適である。
【００３６】
この構成により、ログ送信用データ作成手段は、ＵＩＭ識別子等を暗号化した識別子を複数有し当該複数の識別子のうち何れか一つをログ送信用データに含めるため、ログ送信用データ毎に異なる識別子が含まれることとなり、第三者はログ送信用データが同一人物のものであるか否かを判断することが困難となり、端末の使用者のプライバシをより適切に保護することが可能となる。
【００３７】
また、本発明のログ情報管理装置は、ログ送信用データ作成手段は、遠隔命令受信手段が受信する操作指示に関する情報が、端末を特定して送信されたものである場合に、第一ログ情報保持手段、及び第二ログ情報保持手段に保持されているログ情報の中で不正利用に関わるログ種別であるログ情報に基づいてログ送信用データを作成する、ことが好適である。
【００３８】
この構成により、ログ送信用データ作成手段は、遠隔命令受信手段が受信する操作指示に関する情報が端末を特定して送信されたものである場合に、第一ログ情報保持手段、及び第二ログ情報保持手段に保持されているログ情報の中で不正利用に関わるログ種別であるログ情報に基づいてログ送信用データを作成するため、第三者によって不正にＵＩＭが差し替えられた場合であっても端末に対する遠隔操作が可能となり、且つ、端末の使用者のプライバシに関わるログ情報の送信を最小限に抑えることとなる。それによって、情報操作或いは情報漏えいの把握とプライバシ保護との両立がより適切に可能となる。
【００３９】
上記課題を解決するために本発明のログ情報管理方法は、端末における操作内容の記憶としてのログ情報を管理するログ情報管理方法であって、第一ログ情報保持手段を、端末に搭載されたログ機能提供に係る基幹的プログラムとしてのシステム、及び端末の管理者による操作が可能となるように制御する第一ログ操作制御ステップと、第二ログ情報保持手段を、システム以外のアプリケーション、及び、端末の使用者による操作が可能となるように制御する第二ログ操作制御ステップと、を備え、ログ情報は、ログ情報の種別毎に、第一ログ情報保持手段、第二ログ情報保持手段、又は、第一ログ情報保持手段及び第二ログ情報保持手段、のうち何れかに保持されることを特徴とする。
【００４０】
この構成により、第一ログ操作制御ステップにおいて、第一ログ情報保持手段を、端末に搭載されたログ機能提供に係る基幹的プログラムとしてのシステム、及び端末の管理者による操作が可能となるように制御し、第二ログ操作制御ステップにおいて、第二ログ情報保持手段を、システム以外のアプリケーション、及び、端末の使用者による操作が可能となるように制御し、ログ情報は、ログ情報の種別毎に、第一ログ情報保持手段、第二ログ情報保持手段、又は、第一ログ情報保持手段及び第二ログ情報保持手段、のうち何れかに保持される、ため、端末の使用者のプライバシに関するログ情報と、第三者による情報の操作或いは情報漏えいの把握に利用可能であるログ情報と、を分けて管理できることとなり、第三者による情報操作或いは情報漏えいの把握とプライバシ保護との両立させることが可能となる。
【発明の効果】
【００４１】
本発明のログ情報管理装置、及びログ情報管理方法によれば、情報操作或いは情報漏えいの把握とプライバシ保護との両立が可能となる。
【発明を実施するための最良の形態】
【００４２】
本発明の実施形態に係る移動通信端末について、図面を参照して説明する。なお、説明において、同一要素又は同一機能を有する要素には同一符号を用いることとし、重複する説明は省略する。
【００４３】
図１に本発明のログ情報管理装置１０の機能構成図を示す。図１に示すように本発明のログ情報管理装置１０は、端末１の機能の一部を占め、端末１の外部にあるデバイス管理サーバ２、ログサーバ３、及びバックアップ先サーバ４と通信可能とされている。ログ情報管理装置１０は、ＯＳ上のアプリケーション或いはミドルウェアとして実装されていても良い。或いはデバイスドライバ等ＯＳ内のソフトウェアとして実装されても良い。更にハードウェアとして実装されていても良い。
【００４４】
端末１（端末）は、具体的には携帯電話、簡易型携帯電話機（ＰＨＳ：Personal Handy-phone System）、通信機能を有する携帯型情報端末（ＰＤＡ：Personal Digital Assistant）、或いは、パーソナルコンピュータ（ＰＣ：Personal Computer）等を指す。但しこれらに限定しない。図１には端末１の機能のうち通信機能、入力機能、或いは出力機能等は省略している。
【００４５】
デバイス管理サーバ２は、ログ情報管理装置１０（ログ情報管理装置）を遠隔操作するサーバである。
【００４６】
ログサーバ３は、ログ情報管理装置１０が保持しているログ情報をバックアップするサーバである。
【００４７】
バックアップ先サーバ４は、ログ情報管理装置１０が保持している要管理情報をバックアップするサーバである。ここで要管理情報とは、管理を要する情報のことを指し、例えば電話帳、メール、撮影画像、コンテンツ、業務ファイル等が該当する。但しこれらに限定するものではない。要管理情報に含める情報の種類は端末１の管理者、又は使用者が登録できる。
【００４８】
ログ情報管理装置１０は、ログ情報及び要管理情報の保持と管理を行う。具体的にはログ情報管理装置１０は、第一ログ情報保持部２０（第一ログ情報保持手段）、第二ログ情報保持部３０（第二ログ情報保持手段）、ログ情報収集部４０、直接操作部５０、遠隔操作部６０、及び要管理情報保持部８０（要管理情報保持手段）を含んで構成されている。
【００４９】
第一ログ情報保持部２０は、ログ情報保持態様決定部４２（決定手段）からログ情報、不正利用に関わるログ種別かについて、及び端末１の使用者の識別子の通知（後述）を受けると、それらを保持する機能を有する。また、第一ログ情報保持部２０は、第一ログ操作制御部５２（第一ログ操作制御手段）、ログ送信用データ作成部６６（ログ送信用データ作成手段）、及び情報消去部６８（情報消去手段）、の制御に従って保持するログ情報等の操作を行う機能を有する。なお、具体的な操作内容については後述する。
【００５０】
第一ログ情報保持部２０は、第一ログ操作制御部５２によって端末１の管理者及びシステムのみがログ情報の操作及びアクセスポリシの設定を実行可能であるように制御されている。具体的には、例えば、正当な管理者による操作である認証ができた操作のみ許可する、使用者によって第一ログ情報保持部２０の操作が可能であるインターフェースやメニューを実装しないなどの方法によって実施可能である。更に、正当な管理者による操作か否かの判断は、例えば、管理者用の暗証番号を入力させること、或いは、遠隔操作時の操作指示に関する情報に付加された鍵や証明書を利用することで判断可能である。
【００５１】
ここで、本明細書において「システム」とは端末１に搭載されているミドルウェア、或いはログを管理するプログラム等のことを指す。また、「操作の設定」とは、管理者或いは使用者が行うログ情報の参照、削除或いは修正等の「人」によるログ情報操作のことを指す。「アクセスポリシの設定」とは、システム或いはアプリケーションからログ情報へアクセスする場合の制限の設定を指し、具体的には「収集」、「読み込み」、「書き込み」、或いは「外出し」等である。アクセスポリシの設定は、例えば、アプリケーションからの収集、読み込み、書き込み、或いは外出しを原則禁止し、システム及びオペレータが許可したアプリケーションのみ許可することで実施可能である。本明細書において、端末１の「管理者」とは、端末１の使用者以外の者であって、端末１を管理する者を指し、例えば端末１を子供が使用している場合の親、会社において雇用人に使用させている場合の当該会社、また、個人で使用している場合の通信事業者等のことを指す。
【００５２】
本発明のログ情報管理装置１０が、第一ログ情報保持部２０を備えることにより、例えば端末の開閉操作、認証操作、ファイルの閲覧、情報の取り出し等、端末の不正利用の有無を判定するのに利用できるログ種別を分離し、管理者が管理できるため、紛失或いは盗難等の場合において第三者による情報操作或いは情報漏えいの把握が可能となる。
【００５３】
第二ログ情報保持部３０は、ログ情報保持態様決定部４２から、ログ情報、不正利用に関わるログ種別かについて、及び端末１の使用者の識別子の通知を受けると（後述）、それらを保持する機能を有する。また、第一ログ情報保持部２０は、第二ログ操作制御部５３（第二ログ操作制御手段）、ログ送信用データ作成部６６、及び情報消去部６８、の制御に従って保持するログ情報等の操作を行う機能を有する。なお、具体的な操作内容については後述する。
【００５４】
第二ログ情報保持部３０は、端末１の使用者、及びアプリケーションのみがログ情報の操作、及びアクセスポリシの設定を実行可能であるように構成されている。「操作」とは、具体的には「参照」、「削除」、及び「修正」等である。具体的には、例えば、使用者が第二ログ情報保持部３０に保持されているログ情報を操作可能であるようにメニューを設置すること、及びアプリケーションがアクセス可能なインターフェースを実装することによって実施可能である。又、正当な使用者であることを認証できた操作のみを許可することが好適である。
【００５５】
ここで、本明細書において「アプリケーション」とは、端末１に搭載されている「システム」以外のソフトウェアのことを指し例えばメーラ、ブラウザ、又は電話帳等を指す。「アクセスポリシ」は、具体的には「収集」、「読み込み」、「書き込み」、「外出し」などが該当する。アクセスポリシの設定は、例えばアプリケーションの種別や署名の有無に従って判断することで実施可能である。
【００５６】
本発明のログ情報管理装置１０が、第二ログ情報保持部３０を備えることにより、端末１の使用者のプライバシに関するログ種別を分離して使用者自身で管理できるため、端末１の使用者のプライバシを保護することが可能となる。
【００５７】
第一ログ情報保持部２０、及び第二ログ情報保持部３０は、第一ログ操作制御部５２、第二ログ操作制御部によって、保持するログ情報をそれぞれ暗号化されることが好適である。これによって、端末１の紛失時或いは盗難時にログ情報を保護することができる。又、第一ログ情報保持部２０、及び第二ログ情報保持部３０は別々の鍵を用いてログ情報を暗号化されることが好適である。これにより、端末１の使用者が第一ログ情報保持部２０に保持されているログ情報を操作等することが制限されることとなり、端末１の管理者が第二ログ情報保持部３０に保持されているログ情報を操作等することが制限されることとなる。
【００５８】
ログ情報収集部４０は、端末１におけるログ情報を収集し、第一ログ情報保持部２０及び第二ログ情報保持部３０に保持する機能を備える。具体的にはログ情報収集部４０は、ログ種別情報保持部４１、及びログ情報保持態様決定部４２を含んで構成されている。
【００５９】
ログ種別情報保持部４１は、第一ログ情報保持部２０、及び第二ログ情報保持部３０毎に、どのログ種別を保持するかに関する情報、及びログ種別ごとに不正利用に関わるログ種別か否かに関する情報を保持する。図２及び図３に、ログ種別情報保持部４１に保持されている情報の具体例を示す。図２は、第一ログ情報保持部２０に関連する情報の例であり、図３は、第二ログ情報保持部３０に関連する情報の例である。始めに図２を用いて説明する。
【００６０】
図２に示すように、ログ種別情報保持部４１には、“共通ログ”或いは“独自ログ”の別、「ログ種別」、及び「不正利用に関わるログ種別か」についての情報が保持されている。端末１の管理者は、これらの保持されている情報の設定が可能となっている。但し、共通ログについては出荷時に予め定められていてもよい。
【００６１】
“共通ログ”とは、第一ログ情報保持部２０、及び第二ログ情報保持部３０の両方に保持されるログ種別をいう。“独自ログ”とは、第一ログ情報保持部２０にのみ保持されるログ種別をいう。
【００６２】
「ログ種別」は、ログの種類を指す。「不正利用に関わるログ種別か」とは、対応するログ種別が、端末１の不正利用の有無を判定するのに利用できるログ種別であるか否かについての情報である。図２で示す例では「発着信履歴」、「電話帳編集履歴」、「開閉」、及び「暗証番号入力」が第三者による端末１の不正利用の有無を判定するのに利用できるが、「ブラウザ履歴」は、端末１の第三者による不正利用の有無を判定するのに利用できる可能性が相対的に低いことを意味している。ログ種別毎の不正利用に関わるログ種別かについての設定は，端末１の管理者によって登録可能となっている。但し出荷時に予め登録されていても良い。または使用者によって設定可能となっていても良い。
【００６３】
次に、図３を用いて、第二ログ情報保持部３０に関連する部分について説明する。図３に示すように、ログ種別情報保持部４１には、“共通ログ”及び“独自ログ”の別、「ログ種別」、及び「不正利用に関わるログ種別か」についての情報が保持されている。
【００６４】
このうち“共通ログ”、「ログ種別」、及び「不正利用に関わるログ種別か」については、図２と同様であるためここでは説明を省略する。
【００６５】
図３の“独自ログ”に登録されているログ種別は、第二ログ情報保持部３０にのみ保持されるログ種別であることを示す。端末１の使用者は、どのログ種別を独自ログとするかについて登録を行うことができる。
【００６６】
ログ情報保持態様決定部４２は、ログ種別情報保持部４１に保持されている情報を参照することで収集したログ情報が第一ログ情報保持部２０、第二ログ情報保持部３０、及びその両方の何れに保持されるべきかを判断する機能を備える。たま、ログ情報保持態様決定部４２は、当該判断に従って、収集したログ情報を、第一ログ情報保持部２０と第二ログ情報保持部３０との少なくとも一方に通知する機能を備える。また、ログ情報保持態様決定部４２は、ログ種別情報保持部４１を参照し、収集したログ情報は不正利用に関わるログ種別か否かを判断し、第一ログ情報保持部２０と第二ログ情報保持部３０との少なくとも一方にログ情報を通知する際に、収集したログ情報は不正利用に関わるログ種別か否かに関する情報を通知する機能を備える。更に、ログ情報保持態様決定部４２は、端末１の端末の使用者を識別する識別子を得て、第一ログ情報保持部２０と第二ログ情報保持部３０との少なくとも一方にログ情報を通知する際に、当該識別子を同時に通知する機能を有する。以下具体的に説明する。
【００６７】
ログ情報保持態様決定部４２が、ログ情報として“メール送受信履歴”を検出した場合は、図２に示す「ログ種別」を参照して“メール送受信履歴”が設定されているか確認する。図２に示す例では“メール送受信履歴”は設定されていないため、ログ情報保持態様決定部４２は、第一ログ情報保持部２０に“メール送受信履歴”を保持する必要はないと判断する。次に図３に示す「ログ種別」を参照して“メール送受信履歴”が設定されているか確認する。図３に示す例では“メール送受信履歴”が設定されているため、ログ情報保持態様決定部４２は、第二ログ情報保持部３０に当該履歴を保持する必要があると判断する。次に、ログ情報保持態様決定部４２は、図３に示す“メール送受信履歴”の「不正利用に関わるログ種別か」を参照する。図３に示す例では“ＹＥＳ”が設定されている。これにより“メール送受信履歴”が不正利用に関わるログ種別であることを検出できる。次に、ログ情報保持態様決定部４２は、ＵＩＭ識別子を得る。更に、ログ情報保持態様決定部４２は、上記検出した“メール送受信履歴”、不正利用に関わるログ種別である情報、及びＵＩＭ識別子を第二ログ情報保持部３０に通知する。次に、ログ情報保持態様決定部４２がＵＩＭ識別子を得る方法について説明する。
【００６８】
本実施形態においては端末１の使用者を識別する識別子としてＵＩＭ識別子を用いている。ログ情報保持態様決定部４２は、現在端末１に挿入されているＵＩＭからＵＩＭ識別子を得て、当該識別子が現在端末１を使用している使用者の識別子であるとして、第一ログ情報保持部２０、第二ログ情報保持部３０又はその両方に通知する。使用者を識別する識別子は、第一ログ情報保持部２０或いは第二ログ情報保持部３０の一方にのみ保持されても良い。
【００６９】
直接操作部５０は、第一ログ情報保持部２０及び第二ログ情報保持部３０に保持されているログ情報を端末１が備える入力機能を用いて端末１の使用者或いは管理者が直接操作できるようにする機能を備える。具体的には直接操作部５０は、制御情報保持部５１、第一ログ操作制御部５２、及び第二ログ操作制御部５３を含んで構成されている。
【００７０】
制御情報保持部５１は、ログ情報の操作に関する制御情報を保持している。図４及び図５に、制御情報保持部５１に保持される情報の具体例を示す。図４は、第一ログ情報保持部２０に保持されているログ情報の制御に関する情報の例であり、図５は、第二ログ情報保持部３０に保持されているログ情報の制御に関する情報の例である。まず図４を用いて説明する。
【００７１】
図４に示すように、制御情報保持部５１が保持する情報は、“共通ログ”或いは“独自ログ”の別、「ログ種別」、「操作制限」、「アクセスポリシ」、「操作制限の反映」、及び「アクセスポリシの反映」を含んで構成される。このうち“共通ログ”及び“独自ログ”の別、「ログ種別」については、図２及び図３で説明した内容と同様であるため、ここでは説明しない。
【００７２】
「操作制限」には、対応するログ種別についての操作制限に関する情報が保持される。操作制限は、ログ種別毎に端末１の管理者による設定が可能である。「アクセスポリシ」には、端末１に搭載されているシステムによる第一ログ情報保持部２０へのアクセスの制限に関する情報が保持されている。「アクセスポリシ」は端末１の管理者による設定が可能である。
【００７３】
「操作の反映」には、端末１の管理者による操作を第二ログ情報保持部３０に保持されたログ情報に対して反映させるか否かを設定する。例えば図４に示す例では、“発着信履歴”に対して「操作の反映」に“削除”が設定されている。これにより、端末１の管理者が“発着信履歴”を削除する操作をした場合に、その操作は端末１の第二ログ情報保持部３０にも反映され、第二ログ情報保持部３０に保持されている“発着信履歴”を削除することができる。これにより、システムの管理者が、第一ログ情報保持部２０のみならず第二ログ情報保持部３０に保持されているログ情報の操作が可能となり、紛失時などの情報漏えい等の把握ができなくなる危険性をより軽減することが可能となる。
【００７４】
ログ種別毎に、操作の反映の設定が可能か否かを予め登録できることが好適である。例えば、端末１の不正利用の有無を判定するために用いることができるログ種別についてのみ操作の反映の設定が可能であるように登録しておいても良い。そうすることで、原則的に端末１の使用者によって自由に操作される第二ログ情報保持部３０に保持されているログ情報も、例外的に不正利用の有無を判定するために用いることができるログ種別について端末１の管理者によって操作が可能となり、端末１の使用者のプライバシを最大限保護しつつ、情報漏えい等の危険性を更に軽減することとができる。どのログ種別について操作の反映の設定が可能であるかの登録は出荷時に端末１の生産者によって、或いは、通信事業者によって登録されていても良い。
【００７５】
「アクセスポリシの反映」には、端末１の管理者によって設定された「アクセスポリシ」の内容を第二ログ情報保持部３０に保持されたログ情報のアクセスポリシの設定に対して反映させるか否かを設定する。例えば図４に示す例では、“発着信履歴”に対して「アクセスポリシの反映」に“外出し”が設定されている。これにより端末１の管理者が、“発着信履歴”のアクセスポリシとして外出しを禁止する設定をした場合にその設定は第二ログ情報保持部３０のアクセスポリシにも反映され、端末１のシステム以外のアプリケーションが第二ログ情報保持部３０に保持されている“発着信履歴”を外出しすることができなくなる。これにより、紛失時などの情報漏えい等の危険性をより軽減させることが可能となる。
【００７６】
ログ種別毎に、アクセスポリシの反映の設定が可能か不可能かを予め登録できることが好適である。例えば、端末１の不正利用の有無を判定するために用いることができるログ種別についてのみアクセスポリシの反映の設定が可能であるように登録しておいても良い。そうすることで、原則的に端末１の使用者によって自由に設定できる第二ログ情報保持部３０に保持されているログ情報についてのアクセスポリシに対して、例外的に不正利用の有無を判定するために用いることができるログ種別については端末１の管理者によってアクセスポリシの設定が可能となり、端末１の使用者のプライバシを最大限保護しつつ、情報漏えい等の可能性を把握できなくなってしまう危険性をより軽減することができる。どのログ種別についてアクセスポリシの反映の設定が可能であるかの登録は出荷時に端末１の生産者によって登録されても良い。或いは、管理者によって登録されても良い。
【００７７】
次に図５を用いて、第二ログ情報保持部３０に保持されているログ情報の制御に関して説明する。“共通ログ”及び“独自ログ”の別、「ログ種別」、「操作制限」、「アクセスポリシ」については、設定を端末１の使用者が行う以外は図４の説明と同様であるためここでは説明を省略する。
【００７８】
「操作の反映」には、端末１の使用者による操作の内容を第一ログ情報保持部２０に保持されたログ情報に対して反映させるか否かを設定する。例えば図５に示す例では、“ブラウザ履歴”に対して「操作の反映」に“削除”が設定されている。これにより端末１の使用者が、“ブラウザ履歴”を削除する操作をした場合に、その操作は第一ログ情報保持部２０にも反映され、第一ログ情報保持部２０に保持されている“ブラウザ履歴”を削除することができる。これにより、端末１の使用者のプライバシをより強く保護することが可能となる。
【００７９】
ログ種別毎に、操作の反映の設定が可能か否かを予め登録できることが好適である。例えば、端末１の使用者のプライバシ保護に特に必要と考えられるログ種別についてのみ操作の反映の設定が可能であるように登録しても良い。或いは、不正利用に関わるログ種別ではない場合には反映の設定が可能と登録しても良い。そうすることで、基本的には端末１の使用者によって操作できない第一ログ情報保持部２０に保持されているログ情報も、プライバシ保護に特に必要と考えられるログ種別についてのみ、或いは、不正利用の有無を判定するために用いられないログ種別についてのみ、端末１の使用者によって操作が可能となり、情報漏えい等の可能性を把握できなくなる可能性が高まることを最大限抑制しつつ、使用者のプライバシを保護することができる。どのログ種別について操作の反映の設定が可能であるかの登録は、出荷時に端末１の生産者によって登録されても良い。又は、管理者によって登録されても良い。
【００８０】
「アクセスポリシの反映」には、端末１の使用者によって設定されたアクセスポリシの設定制限の内容を第一ログ情報保持部２０に保持されたログ情報のアクセスポリシの設定に対して反映させるか否かを設定する。例えば図５に示す例では、“ブラウザ履歴”に対して「アクセスポリシの反映」に“収集”が設定されている。これにより端末１の使用者が、“ブラウザ履歴”のアクセスポリシとして収集を禁止する設定をした場合にその設定は第一ログ情報保持部２０のアクセスポリシにも反映され、端末１のシステムが第一ログ情報保持部２０に保持されている“ブラウザ履歴”を収集することができなくなる。これにより、端末１の使用者のプライバシを更に保護することが可能となる。
【００８１】
ログ種別毎に、アクセスポリシの反映の設定が可能か不可能かを予め登録できることが好適である。例えば、使用者のプライバシ保護に特に必要と考えられるログ種別についてのみアクセスポリシの反映の設定が可能であるように登録しても良い。そうすることで、原則的には端末１の管理者によって自由に設定される第一ログ情報保持部２０に保持されているログ情報についてのアクセスポリシに対して、使用者のプライバシ保護に特に必要と考えられるログ種別については例外的に使用者によってアクセスポリシの設定が可能となり、情報漏えい等の可能性を把握できなくなってしまう危険性が高まることを最大限抑制しつつ、端末１の使用者のプライバシを保護することができる。どのログ種別についてアクセスポリシの反映の設定が可能であるかの登録は出荷時に端末１の生産者によって登録されていてもよい。或いは、通信事業者等の管理者によって登録されても良い。
【００８２】
第一ログ操作制御部５２は、制御情報保持部５１に保持されている情報を参照して、上記図４及び５で説明した方法で、端末１の管理者による第一ログ情報保持部２０への操作を実際に制御する機能を有する。
【００８３】
第二ログ操作制御部５３は、制御情報保持部５１に保持されている情報を参照して、上記図４及び５で説明した方法で、端末１の使用者による第二ログ情報保持部３０への操作を実際に制御する機能を有する。
【００８４】
遠隔操作部６０は、デバイス管理サーバ２からの遠隔操作を処理する機能を有する。具体的には遠隔命令受信部６１（遠隔命令受信手段）、操作制限部６２（操作制限手段）、ロック実行部６３（ロック実行手段）、バックアップデータ作成部６４（バックアップデータ作成手段）、バックアップデータ送信部６５（バックアップデータ送信手段）、ログ送信用データ作成部６６、ログ送信部６７（ログ送信手段）、及び情報消去部６８を含んで構成される。
【００８５】
遠隔命令受信部６１は、デバイス管理サーバ２から送信されるデータ消去指示に関する情報、バックアップ指示に関する情報、ロック実行指示に関する情報、ログ送信指示に関する情報、及び、操作制限指示に関する情報などを含む操作指示に関する情報を受信し、内容に従って操作制限部６２、ロック実行部６３、バックアップデータ作成部６４、ログ送信用データ作成部６６、及び情報消去部６８に当該受信した情報を通知する機能を有する。
【００８６】
操作制限部６２は、遠隔命令受信部６１から操作制限指示に関する情報を受信し、ロック実行、バックアップデータの作成及び送信、ログ送信用データの作成及び送信、端末１内の情報の消去など、情報の操作或いは情報漏えいの防止、或いはその把握に必要な処理の開始時に、電源オフ操作及び通信オフ設定を含む操作を無効化する機能を有する。また、処理の終了時に操作の有効化を行う機能を有する。操作を無効としている間は、バッテリ節約のために、ＬＣＤのバックライトをオフにする、或いは画面表示をオフにしてもよい。
【００８７】
ログ情報管理装置１０が、操作制限部６２を備えることにより、バックアップ等の処理中に第三者による電源を切られる等の妨害行為を防止することが可能となる。
【００８８】
操作制限部６２による処理は、単独で行っても良い。また、他の情報の操作或いは情報漏えいの防止に必要な処理はどのように組み合わせて良い。
【００８９】
ロック実行部６３は、遠隔命令受信部６１からロック実行指示に関する情報が通知されると、決済機能など端末１が備える機能をロックする。一度機能がロックされると暗号キーを入力するまでロックを解除できないこととしても良い。
【００９０】
バックアップデータ作成部６４は、遠隔命令受信部６１からバックアップ指示に関する情報が通知されると、端末１がバックアップサービスに加入しているか否かを検出する機能、端末１がバックアップサービスに加入している場合に、要管理情報保持部８０に保持されている要管理情報からバックアップデータを作成する機能、端末１がバックアップサービスに加入していない場合に、要管理情報保持部８０に保持されている要管理情報の一部から簡易のバックアップデータを作成する機能、及び、作成したバックアップデータをバックアップデータ送信部６５に送る機能を有する。
【００９１】
端末１がバックアップサービスに加入しているか否かの検出方法は、端末１内にバックアップサービスに加入しているか否かの情報を保持しても良い。あるいは、デバイス管理サーバ２から送信されるバックアップ指示に関する情報に、バックアップサービスに加入しているか否かの情報を含めても良い。簡易のバックアップデータとしては、例えば電話帳の件数や名前のリスト等が挙げられる。
【００９２】
バックアップデータ送信部６５は、バックアップデータ作成部６４からバックアップデータを受け取る機能、及び当該受け取ったバックアップデータを端末１外に存在するバックアップ先サーバ４に送信する機能を有する。
【００９３】
ログ情報管理装置１０が、バックアップデータ送信部６５を備えることで、要管理情報を第三者によって削除等される前に端末１外の安全な場所に退避させておくことが可能となる。
【００９４】
ログ送信用データ作成部６６は、遠隔命令受信部６１からログ送信指示に関する情報が通知されると、第一ログ情報保持部２０及び第二ログ情報保持部３０に保持されているログ情報の少なくとも一部からログ送信用データを作成する機能、及び当該作成したログ送信用データをログ送信部６７に送る機能を備える。以下、ログ送信用データ作成部６６の機能について詳述する。
【００９５】
ログ送信用データ作成部６６は、遠隔命令受信部６１が受信した操作指示に関する情報が端末１の管理者から送信されたものであるか否かを判断する。当該判断は、公開鍵による認証、或いは管理者用パスワードなどにより実現できる。操作指示に関する情報が端末１の管理者から送信されたものでない場合、ログ送信用データ作成部６６は、操作指示に関する情報が端末１の使用者を特定して送信されたものか否かを判断する。本実施形態では、操作指示に関する情報がＵＩＭ識別子を特定して送信されている場合には端末１の使用者を特定して送信されたと判断する。
【００９６】
操作指示に関する情報が端末１の使用者を特定して送信されたものである場合、ログ送信用データ作成部６６は、第一ログ情報保持部２０、及び第二ログ情報保持部３０に保持されているログ情報を参照し、「不正利用に関わるログ種別か」に“ＹＥＳ”が設定されているログ情報についてログ送信用データに含める。更に、「不正利用に関わるログ種別か」に“ＮＯ”が設定されている場合には、関連するログ情報の「使用者識別子」に保持されている情報と、現在端末１に挿入されているＵＩＭから得たＵＩＭ識別子を比較し、両識別子が同一である場合は関連するログ情報をログ送信用データに含める。
【００９７】
それにより、不正利用に関わるログ種別は全てログ送信用データに含まれることとなる。更に、不正利用に関わるログ種別以外のログ種別に関しては、遠隔命令受信部６１が受信した操作指示に関する情報が特定した使用者に関連するログ情報は全てログ送信用データに含まれるが、正規に端末１を利用する他の使用者に関連したログ情報は、ログ送信用データには含まれない事となる。
【００９８】
一般的に、端末１に挿入するＵＩＭを差し替えることで複数の使用者が正規な使用者として端末１を使用する場合において、ある使用者に送信されるログ情報に別の使用者のログ情報が含まれる場合、当該別の使用者のプライバシが損なわれこととなる。
【００９９】
しかし、本実施形態におけるログ情報管理装置１０においてはログ送信用データ作成部６６を備えることにより、遠隔命令受信部６１が受信した操作指示に関する情報が端末の使用者を特定して送信された場合には当該特定された使用者に関連付けられたログ情報のみを送信することとなるため、使用者のプライバシを保護することが可能となる。
【０１００】
遠隔命令受信部６１が受信した操作指示に関する情報は、第一ログ情報保持部２０、第二ログ情報保持部３０の一方のみを操作する指定を含めることができることが好適である。例えば、第一ログ情報保持部２０に保持されたログ情報のみ送信したい場合には第一ログ情報保持部２０を操作する指定を含めることができる。これにより、例えば、第一ログ情報保持部２０が保持する不正利用に関わるログ種別をログ送信用データに含め、第二ログ情報保持部３０が保持するプライバシに関わるログ種別はログ送信用データに含めないことが可能となる。
【０１０１】
遠隔命令受信部６１が受信した操作指示に関する情報が、端末１の識別子を特定して送信されたものである場合、ログ送信用データ作成部６６は、第一ログ情報保持部２０、及び第二ログ情報保持部３０に保持されているログ情報を参照し、「不正利用に関わるログ種別か」に“ＹＥＳ”が設定されているログ情報についてログ送信用データに含める。一方、「不正利用に関わるログ種別か」に“ＮＯ”が設定されているログ情報についてはログ送信用データに含めない。
【０１０２】
ここで、端末の識別子とは例えば、ＩＭＥＩ（International Mobile Equipment Identifier）やシリアル番号が利用できる。
【０１０３】
端末１を紛失或した、或いは盗難された等の場合に、第三者が、ＵＩＭを差し替えるなどして、遠隔操作を妨害することが考えられる。その場合、端末１の使用者を指定して遠隔操作をすることができなくなるが、端末１を指定することで、第三者による妨害を回避することが可能となる。
【０１０４】
また、不正利用に関するログ情報はログ送信用データに含めるが、それ以外のログ情報はログ送信用データに含めないこととなり、使用者のプライバシを保護することが可能となる。
【０１０５】
遠隔命令受信部６１が受信した操作指示に関する情報が端末１の管理者から送信されたものでなく、端末１の使用者を特定したものでもなく、且つ端末を特定したものでも無い場合には、不正利用に関わるログ種別、及びその他のログ種別の情報をログ送信用データに含める。
【０１０６】
ログ送信用データ作成部６６は、遠隔命令受信部６１が受信した操作指示に関する情報が端末１の管理者から送信されたものである場合、全てのログをログ送信用データに含めることが好適である。
【０１０７】
なお、第一ログ情報保持部２０或いは第二ログ情報保持部３０には、要管理情報の修正及び削除に関するログ情報は必ず含める設定として、ログ送信用データには、要管理情報の修正及び削除に関するログ情報を必ず含めることが好適である。より具体的には、要管理情報の修正及び削除に関するログ情報として、削除データのファイル名または番号、及び、削除時刻を含むことが好適である。
【０１０８】
また、ログ送信用データ作成部６６は、ログ送信用データとしてＵＩＭ識別子を加工した値であるＵＩＭ変換値を含めることが好適である。加工の手段として、例えばＳＨＡ１などの一方向のハッシュ関数を利用することが考えられる。一方向の関数を用いることで、ＵＩＭ変換値から、元のＵＩＭ識別子を特定することを防止することが可能となる。
【０１０９】
また、ログ送信用データ作成部６６は、ＵＩＭ識別子を加工したＵＩＭ変換値を複数個保持し、ＵＩＭ変換値のいずれかを選択して送信するログに含めることが好適である。ＵＩＭ変換値のいずれかを選択する方法として、例えば、ログを送信する度に、ＵＩＭ変換値を変更する、或いは、一定周期や一定回数でＵＩＭ変換値を変更することが考えられる。
【０１１０】
これにより、ログ情報のネットワークへの流出や、ログサーバ３への不正アクセスにより、ログ情報が悪意を持った人間にさらされた場合に当該ログ情報を生成した使用者が特定され、プライバシが侵害される危険性を減少させることができる。一方、正当な管理者及び使用者のみがそのＵＩＭ識別子とＵＩＭ変換値の対応付けを知っているように構成することで、使用者と関連付けられたログ情報の管理が可能となる。又、ＵＩＭ変換値を複数備えることにより、悪意を持った第三者がＵＩＭ変換値と関連付けられたログ情報を相互に繋ぎ合わせることを困難にし、使用者のプライバシの保護を強化することができる。
【０１１１】
ログ送信部６７は、ログ送信用データ作成部６６からログ送信用データを受け取る機能、及び、受け取ったログ送信用データを、端末１外にあるログサーバ３に送信する機能を有する。
【０１１２】
送信手段は、例えばメールでの送信や、ＨＴＴＰによる通信など等が考えられるが、これらに限定しない。
【０１１３】
ログ送信部６７は、圏外状態や低電圧等の原因でログ情報の送信が失敗した場合、圏外状態や低電圧等の送信できない原因が解消された際、再度送信を試みることが好適である。ログ送信部６７は、ログ情報の送信に失敗し、且つログ情報の送信失敗の原因がログサーバ３側の障害と判断した場合、別のサーバに送信する、又は別の送信手段を選択して送信することが好適である。別の送信手段として、ＨＴＴＰ送信の代替としてＳＭＳ送信を選択する、或いはセルラ通信の代替として無線ＬＡＮを選択する等が考えられる。
【０１１４】
ログ送信部６７は、不正利用に関するログ種別のログ情報を優先して送信することが好適である。大量の送信ログ情報があっても、不正利用に関するログ情報を優先して送信することで、圏外やバッテリ枯渇等で送信に失敗した場合でもより重要な情報を送信できる可能性が高まる。
【０１１５】
情報消去部６８は、遠隔命令受信部６１からデータ消去指示に関する情報が通知されると、第一ログ情報保持部２０、第二ログ情報保持部３０、及び要管理情報保持部８０に保持される情報を消去する機能を有する。
【０１１６】
データ消去指示に関する情報には、第一ログ情報保持部２０、第二ログ情報保持部３０、及び要管理情報保持部８０に保持されている情報のうちのどの情報を消去するかを特定する情報を含めることが好適である。これは、ログ種別毎、並びに、第一ログ情報保持部２０、第二ログ情報保持部３０、及び要管理情報保持部８０毎に指定できることが好適である。それにより、例えば、プライバシに関わる第二ログ情報保持部３０に保持された情報のみを消去することなどが可能となる。ログ情報も消去することにより、個人情報、及び業務情報等を保護することが可能となる。
【０１１７】
要管理情報保持部８０は、要管理情報を保持する機能を有する。又、要管理情報保持部８０は、情報消去部６８或いはバックアップデータ作成部６４の制御に従って、保持する要管理情報を操作する機能を有する。
【０１１８】
図６に、端末１のハードウェア構成を示す。図６に示すように端末１は、物理的には、ＣＰＵ１０１、ＲＡＭ１０２、ＲＯＭ１０３、通信を制御する通信モジュール１０４、フラッシュメモリー、ハードディスクなどの補助記憶部１０５、１０キーなどの入力装置１０６、及び、ＬＣＤや有機ＥＬディスプレイなどの出力装置１０７を備える。端末１におけるログ情報管理装置１０の各機能は、ＣＰＵ１０１、ＲＡＭ１０２等のハードウェア上に所定のソフトウェアを読み込ませることにより、ＣＰＵ１０１の制御のもとで通信モジュール１０４、出力装置１０７、入力装置１０６を動作させると共に、ＲＡＭ１０２や補助記憶部１０５におけるデータの読み出し及び書き込みを行うことで実現される。
【０１１９】
次に図７を用いて本発明のログ情報管理装置１０における処理の流れを説明する。この処理は端末１の紛失或いは端末１を盗難などされた場合等に悪意を持った第三者から端末１内の情報を守り、且つ、仮に情報の漏洩などが既に生じてしまっている場合にはその被害を把握するために、端末１の管理者、或いは使用者が遠隔操作をすることで処理が始まる。
【０１２０】
遠隔命令受信部６１は、デバイス管理サーバ２からデータ消去指示に関する情報を受信し、当該受信した情報を操作制限部６２に通知する（ステップＳ１００）。
【０１２１】
操作制限部６２は、電源ＯＦＦ、通信遮断などの端末１における操作を制限する（ステップＳ１０１）。
【０１２２】
ここで、データのバックアップの処理がなされるが（ステップＳ１０２）、詳細は図９の流れ図の説明部分で述べる。
【０１２３】
データのバックアップの処理が終わると、ログ情報送信の処理がなされるが（ステップＳ１０３）、詳細は図１０の流れ図の説明部分で述べる。
【０１２４】
情報消去部６８は、要管理情報保持部８０、第一ログ情報保持部２０、及び第二ログ情報保持部３０に保持されている情報のうち指定された情報を消去する（ステップＳ１０４）。
【０１２５】
操作制限部６２は、操作制限を解除する（ステップＳ１０５）。
【０１２６】
なお、バックアップ（ステップＳ１０２）及びログ情報送信（ステップＳ１０３）の処理は必須ではない。バックアップ（ステップＳ１０２）の処理を省略した場合には、操作制限の実行（ステップＳ１０１）がされた後に、ログ情報が送信され、端末１内の情報が消去される。従って被害の把握と、以後の情報の漏洩を防ぐことが可能となる。
【０１２７】
ログ情報送信（ステップＳ１０３）の処理を省略した場合には端末１内の情報をバックアップした後に消去される。従って情報を残したまま以後の情報の漏洩を防ぐことが可能となる。
【０１２８】
バックアップ（ステップＳ１０２）及びログ情報送信（ステップＳ１０３）の処理の両方を省略した場合には直ちに情報を消去することができる。
【０１２９】
また、操作制限解除（ステップＳ１０６）の処理を省略することも可能である。その場合悪意を持った第三者は以後端末１の操作をすることができなくなる。
【０１３０】
次に図８を用いて端末１をロックする処理について説明する。この処理は、端末１の管理者、或いは使用者が、遠隔操作によって端末１に備えられた決済機能などを不能とする端末１のロック実行をすることで処理が始まる。
【０１３１】
遠隔命令受信部６１は、デバイス管理サーバ２からロック実行指示に関する情報を受信し、当該受信した情報を操作制限部６２に通知する（ステップＳ２００）。
【０１３２】
操作制限部６２は、電源ＯＦＦ、通信遮断などの端末１における操作を制限し、ロック実行指示に関する情報をロック実行部６３に通知する（ステップＳ２０１）。
【０１３３】
ロック実行部６３は、端末１が備えている決済に関する機能などを不能とする（ステップＳ２０２）。
【０１３４】
ここで、データのバックアップの処理がなされるが（ステップＳ２０３）、詳細は図９の流れ図の説明部分で述べる。
【０１３５】
データのバックアップの処理が終わると、ログ情報送信の処理がなされるが（ステップＳ２０４）、詳細は図１０の流れ図の説明部分で述べる。
【０１３６】
操作制限部６２は、操作制限を解除する（ステップＳ２０５）。
【０１３７】
なお、バックアップ（ステップＳ２０３）及びログ情報送信（ステップＳ２０４）の処理は必須ではない。また、操作制限解除（ステップＳ２０５）の処理を省略することも可能である。その場合悪意を持った第三者は以後端末１の操作をすることができなくなる。
【０１３８】
次に図９を用いて本発明のログ情報管理装置１０における情報のバックアップ処理の流れを説明する。この処理は、端末１の管理者或いは使用者によって遠隔指示がなされることによって処理が始まる。他の操作と共に行っても良い。また単独で行っても良い。
【０１３９】
遠隔命令受信部６１は、デバイス管理サーバ２からバックアップ指示に関する情報を受信する（ステップＳ３００）。
【０１４０】
遠隔命令受信部６１は、バックアップ指示に関する情報を受信すると端末１がバックアップサービスに加入しているか判断する。また、遠隔命令受信部６１は、当該判断結果及びバックアップ指示に関する情報をバックアップデータ作成部に通知する（ステップＳ３０１）。
【０１４１】
端末１がバックアップサービスに加入していない場合（ステップＳ３０１で“ＮＯ”）、バックアップデータ作成部６４は、要管理情報保持部８０から要管理情報の一部を取得する（ステップＳ３０２）。
【０１４２】
端末１がバックアップサービスに加入している場合（ステップＳ３０１で“ＹＥＳ”）、バックアップデータ作成部６４は、要管理情報保持部８０から要管理情報を取得する（ステップＳ３０３）。
【０１４３】
バックアップデータ作成部６４は、要管理情報保持部８０から取得したデータを圧縮等することによりバックアップデータを作成し、作成したバックアップデータをバックアップデータ送信部６５へ送る（ステップＳ３０４）。
【０１４４】
バックアップデータ送信部６５は、バックアップデータ作成部６４から受け取ったバックアップデータを端末１の外部に存在するバックアップ先サーバ４へ送信する（ステップＳ３０５）。
【０１４５】
次に図１０を用いて本発明のログ情報管理装置１０におけるログ送信処理の流れを説明する。この処理は、端末１の管理者或いは使用者によって遠隔指示がなされることによって処理が始まる。他の操作と共に行っても良い。また単独で行っても良い。
【０１４６】
遠隔命令受信部６１は、デバイス管理サーバ２からログ送信指示に関する情報を受信し、遠隔命令受信部６１は受信したログ送信指示に関する情報をログ送信用データ作成部６６へ通知する（ステップＳ４００）。
【０１４７】
ログ送信用データ作成部６６は、通知されたログ送信指示に関する情報が端末１の管理者から送信されたものであるか否かを判断する（ステップＳ４０１）。
【０１４８】
ログ送信指示に関する情報が端末１の管理者から送信されたものである場合（ステップＳ４０１において“ＹＥＳ”）、ログ送信用データ作成部６６は、第一ログ情報保持部２０及び第二ログ情報保持部３０を参照して不正利用に関わるログ種別に関する情報、及びその他のログ種別に関する情報を含めたログ送信用データを作成する（ステップＳ４０４、Ｓ４０５）。
【０１４９】
ログ送信指示に関する情報が端末１の管理者から送信されたものでない場合（ステップＳ４０１において“ＮＯ”）、ログ送信用データ作成部６６は、ログ送信指示に関する情報が端末１の使用者を指定したものであるか否かを判断する（ステップＳ４０２）。
【０１５０】
ログ送信指示に関する情報が端末１の使用者を指定したものである場合（ステップＳ４０２において“ＹＥＳ”）、ログ送信用データ作成部６６は、第一ログ情報保持部２０及び第二ログ情報保持部３０を参照して不正利用に関わるログ種別に関する情報をログ送信用データに含める。更に、その他のログ種別に関する情報のうちログ送信指示に関する情報によって指定された端末１の使用者と関連付けられたログ種別に関する情報をログ送信用データに含める（ステップＳ４０６、Ｓ４０７）。
【０１５１】
バックアップ指示に関する情報が端末１の使用者を指定したものでない場合（ステップＳ４０２において“ＮＯ”）、ログ送信用データ作成部６６は、バックアップ指示に関する情報が端末１の識別子を指定したものであるか否かを判断する（ステップＳ４０３）。
【０１５２】
バックアップ指示に関する情報が端末１の識別子を指定したものでない場合（ステップＳ４０３において“ＮＯ”）、ログ送信用データ作成部６６は、第一ログ情報保持部２０及び第二ログ情報保持部３０を参照して不正利用に関わるログ種別に関する情報、及びその他のログ種別に関する情報を含めたログ送信用データを作成する（ステップＳ４０４、Ｓ４０５）。
【０１５３】
バックアップ指示に関する情報が端末１の識別子を指定したものである場合（ステップＳ４０３において“ＹＥＳ”）、ログ送信用データ作成部６６は、第一ログ情報保持部２０及び第二ログ情報保持部３０を参照して不正利用に関わるログ種別に関する情報からログ送信用データを作成する（ステップＳ４０８、Ｓ４０９）。
【０１５４】
ログ送信用データ作成部６６は、作成したログ送信用データをログ送信部６７に送り、ログ送信部６７は、受け取ったログ送信用データを端末１外に存在するログサーバ３へ送信する（ステップＳ４１０）。
【０１５５】
次に図１１を用いてログ操作に対する反映の方法を説明する。この例では端末１の使用者が第二ログ情報保持部３０に保持されているログ情報を操作する場合において、管理者により第一ログ操作制御部５２に設定されたログ操作制限が反映される場合について説明する。なお、端末１の管理者が第一ログ情報保持部２０に保持されているログ情報を操作する場合において、端末１の使用者により第二ログ操作制御部５３に設定されていたログ操作制限が反映される場合は、以下の説明中第一ログ情報保持部２０と第二ログ情報保持部３０と、及び、第一ログ操作制御部５２と第二ログ操作制御部５３とを逆にすれば良い。
【０１５６】
第二ログ操作制御部５３は、端末１の使用者によるログ操作があるか監視する（ステップＳ５００）。
【０１５７】
端末１の使用者によるログ操作があった場合（ステップＳ５００において“ＹＥＳ”）、第二ログ操作制御部５３は、操作対象のログ種別は反映が必要なログ種別か否かを制御情報保持部５１を参照することで確認する。具体的には図５に示す「操作の反映」に何も設定がなければ、第二ログ操作制御部５３は操作対象のログ種別は反映が不要なログ種別であると判断する。図５に示す「操作の反映」に設定がある場合、第二ログ操作制御部５３は操作対象のログ種別は反映が必要なログ種別であると判断する（ステップＳ５０１）。
【０１５８】
操作対象のログ種別は反映が不要なログ種別だと判断した場合（ステップＳ５０１で“ＮＯ”）、処理が終了する。
【０１５９】
操作対象のログ種別は反映が必要なログ種別だと判断した場合（ステップＳ５０１で“ＹＥＳ”）、第二ログ操作制御部５３は、端末１の使用者による操作内容は反映が必要な操作内容であるか否かを、制御情報保持部５１を参照することで判断する。具体的には、端末１の使用者によるログ操作が、図５に示す「操作の反映」に設定されている操作と同一であるか判断する。同一である場合、端末１の使用者による操作内容は反映が必要な操作内容であると判断する。同一でない場合、端末１の使用者による操作内容は反映が不要な操作内容であると判断する（ステップＳ５０２）。
【０１６０】
端末１の使用者による操作内容は反映が不要な操作内容だと判断した場合（ステップＳ５０２で“ＮＯ”）、処理が終了する。
【０１６１】
端末１の使用者による操作内容は反映が必要な操作内容だと判断した場合（ステップＳ５０２で“ＹＥＳ”）、第二ログ操作制御部５３は、端末１の使用者による操作内容を、第一ログ情報保持部２０に保持されているログ情報に対して反映させる（ステップＳ５０３）。
【０１６２】
次に図１２を用いてアクセスポリシの設定に対する反映の方法を説明する。この例では端末１の使用者が第二ログ情報保持部３０に保持されているログ情報に対してアクセスポリシを設定する場合において、管理者により第一ログ操作制御部５２に設定されていたアクセスポリシ設定の制限が反映される場合について説明する。なお、端末１の管理者が第一ログ情報保持部２０に保持されているログ情報に対してアクセスポリシを設定する場合において、端末１の使用者により第二ログ操作制御部５３に設定されていたアクセスポリシ設定の制限が反映される場合は、以下の説明中第一ログ情報保持部２０と第二ログ情報保持部３０と、及び、第一ログ操作制御部５２と第二ログ操作制御部５３とを逆にすれば良い。
【０１６３】
第二ログ操作制御部５３は、端末１の使用者によるアクセスポリシの設定があるか監視する（ステップＳ６００）。
【０１６４】
端末１の使用者によるアクセスポリシの設定があった場合（ステップＳ６００において“ＹＥＳ”）、第二ログ操作制御部５３は、制御情報保持部５１を参照し、アクセスポリシ設定対象のログ種別は反映が必要なログ種別か否かを判断する。具体的には、図４の「アクセスポリシの反映」に何も設定されていなければ反映は不要であると判断する。図４の「アクセスポリシの反映」に設定があれば反映が必要であると判断する（ステップＳ６０１）。
【０１６５】
アクセスポリシ設定対象のログ種別は反映が不要なログ種別だと判断した場合（ステップＳ６０１で“ＮＯ”）、処理が終了する。
【０１６６】
アクセスポリシ設定対象のログ種別は反映が必要なログ種別だと判断した場合（ステップＳ６０１で“ＹＥＳ”）、第二ログ操作制御部５３は、制御情報保持部５１を参照し、端末１の使用者によるアクセスポリシ設定内容は反映が必要な設定内容であるか否かを判断する。具体的には図４の「アクセスポリシの反映」に設定されている内容が、端末１の使用者によるアクセスポリシ設定の内容と同一である場合は、反映が必要であると判断する。図４の「アクセスポリシの反映」に設定されている内容が、端末１の使用者によるアクセスポリシ設定の内容と同一でない場合は、反映が不要であると判断する。（ステップＳ６０２）。
【０１６７】
端末１の使用者による設定内容は反映が不要な設定内容だと判断した場合（ステップＳ６０２で“ＮＯ”）、処理が終了する。
【０１６８】
端末１の使用者による設定内容は反映が必要な設定内容だと判断した場合（ステップＳ６０２で“ＹＥＳ”）、第二ログ操作制御部５３は、当該アクセスポリシ設定対象ログ情報に対する当該設定内容に対応付けられた制限内容を制御情報保持部５１から得て、第二ログ情報保持部３０に保持されているログ情報に対するアクセスポリシ設定に対して当該制限内容を適応する（ステップＳ６０３）。
【０１６９】
次に、本発明の作用及び効果について説明する。
【０１７０】
本発明のログ情報管理装置１０は、第一ログ情報保持部２０は、第一ログ操作制御部５２により、システム、及び端末１の管理者による操作が可能となるように制御され、第二ログ情報保持部３０は、第二ログ操作制御部５３により、システム以外のプログラム、及び、端末１の使用者による操作が可能となるように制御され、ログ情報は、ログ情報の種別毎に第一ログ情報保持手段、前記第二ログ情報保持手段、又は、前記第一ログ情報保持手段及び前記第二ログ情報保持手段のうち何れかに保持されるため、端末１の使用者のプライバシに関するログ情報と、第三者による情報の操作或いは情報漏えいの把握に利用可能であるログ情報と、を分けて管理できることとなり、第三者による情報操作或いは情報漏えいの把握とプライバシ保護との両立させることが可能となる。
【０１７１】
また、本発明のログ情報管理装置１０においては、端末１の管理者、及び使用者は夫々アクセスポリシとしてログの種別毎に、及び端末において又はネットワークを通じて実行されるアプリケーションプログラム毎に、実行可能な操作を設定できるため、端末１の管理者は第三者による情報操作或いは情報漏えいの把握に利用可能であるログ情報を保護し、端末１の使用者はプライバシ保護に必要なログ情報を保護する設定をすることで、より確実に第三者による情報操作或いは情報漏えいの把握とプライバシ保護とを両立させることが可能となる。
【０１７２】
また、本発明のログ情報管理装置は、第二ログ操作制御部５３は、第一ログ操作制御部５２において所定のログ種別に対する所定の操作、或いは所定のアクセスポリシの設定がなされた場合に、当該設定に基づいて第二ログ情報保持部３０におけるログ操作及びアクセスポリシを制御するため、特定の場合にシステム或いは端末１の管理者は第二ログ情報保持部３０に保持されているログ情報からの情報漏えいなどを防止することが可能となる。
【０１７３】
また、本発明のログ情報管理装置１０は、第一ログ操作制御部５２は、第二ログ操作制御部５３において所定のログ種別に対する所定の操作、或いは所定のアクセスポリシの設定がなされた場合に、当該設定に基づいて第一ログ情報保持部２０におけるログ操作及びアクセスポリシを制御するため、特定の場合に端末１の使用者は、第一ログ情報保持部２０に保持されているログ情報に対してもプライバシ保護のための処置を取ることが可能となる。
【０１７４】
また、本発明のログ情報管理装置１０は、第一ログ操作制御部５２は、第一ログ情報保持部２０に保持されているログ情報を暗号化し、第二ログ操作制御部５３は、第二ログ情報保持部３０に保持されているログ情報を第一ログ操作制御部５２による暗号化とは別の鍵を利用して暗号化するため、端末１を紛失した場合等にログ情報を第三者から保護することが可能となる。また、別々の鍵を用いているため、システム或いは端末１の管理者が第二ログ情報保持部３０に保持されているログ情報を操作等できてしまうこと、及び、端末１の使用者が第一ログ情報保持部２０に保持されているログ情報を操作等できてしまうことを防止することが可能となる。
【０１７５】
また、本発明のログ情報管理装置１０は、要管理情報保持部８０は、情報管理が必要である情報としての要管理情報を保持し、遠隔命令受信部６１は、端末１外から送信された操作指示に関する情報を受信し、情報消去部６８は、遠隔命令受信部６１が操作指示に関する情報としてデータ消去指示に関する情報を受信した場合に、第一ログ情報保持部２０、第二ログ情報保持部３０、及び、要管理情報保持部８０に保持されている情報のうちの少なくとも一部を消去するため、端末１を紛失してしまった場合などに、第三者による情報操作或いは情報漏えいの把握に利用可能であるログ情報、端末１の使用者はプライバシ保護に関するログ情報、或いはその両方、を選択的に消去することが可能となる。
【０１７６】
また、本発明のログ情報管理装置１０は、要管理情報保持部８０は、情報管理が必要である情報としての要管理情報を保持し、バックアップデータ作成部６４は、遠隔命令受信部６１がバックアップ指示に関する情報を受信した場合に、要管理情報保持部８０に保持されている情報のうちの少なくとも一部からバックアップデータを作成し、バックアップデータ送信部６５は、バックアップデータ作成部６４が作成したバックアップデータを、端末１外に送信するため、第三者の攻撃から要管理情報を守ることが可能となる。
【０１７７】
また、本発明のログ情報管理装置１０は、操作制限部６２は、遠隔命令受信部６１が操作指示に関する情報として操作制限指示に関する情報を受信した場合に、所定の操作を無効とするため、第三者による、電源切断、通信遮断又は通信機能の使用等を防止することが可能となる。
【０１７８】
また、本発明のログ情報管理装置１０は、ロック実行部６３は、遠隔命令受信部６１が操作指示に関する情報としてロック実行指示に関する情報を受信した場合に、所定の機能を無効とするため、第三者による端末からの決済行為等を防止することが可能となる。
【０１７９】
また、本発明のログ情報管理装置１０は、ログ送信用データ作成部６６は、遠隔命令受信部６１が操作指示に関する情報としてログ送信指示に関する情報を受信した場合に、第一ログ情報保持部２０に保持されている情報、及び第二ログ情報保持部３０に保持されている情報のうちの少なくとも一部からログ送信用データを作成し、ログ送信部６７は、ログ送信用データ作成部６６が作成したログ送信用データを端末１外に送信するため、端末１を紛失してしまった場合などに、第三者による情報操作或いは情報漏えいの把握に利用可能であるログ情報、端末１の使用者はプライバシ保護に関するログ情報、或いはその両方、を選択的に外部に送信することが可能となり、第三者による情報操作或いは情報漏えいの把握と端末１の所有者のプライバシ保護との両立がより確実となる。
【０１８０】
また、本発明のログ情報管理装置１０は、ログ送信用データ作成部６６は、作成するログ送信用データに要管理情報の操作履歴情報を含めることとなり、第三者が要管理情報を操作したか否かを把握することが可能となる。
【０１８１】
また、本発明のログ情報管理装置１０は、ログ送信用データ作成部６６は、削除された要管理情報を特定する情報、及び削除時刻をログ送信用データに含めるため、第三者による要管理情報の操作内容をより詳細に把握することが可能となる。
【０１８２】
また、本発明のログ情報管理装置１０は、ログ送信用データ作成部６６は、ログ送信指示に関する情報が例えばＵＩＭ識別子を特定する等、端末１の使用者を特定して送信されたものである場合に、第一ログ情報保持部２０び第二ログ情報保持部３０の一方または両方にＵＩＭ識別子等と関連付けられて保持されているログ情報のうち、ログ送信指示に関する情報が特定するＵＩＭ識別子と関連付けられて保持されている情報からログ送信用データを作成することとなり、正規に複数人が同じ端末１を使用している場合など、他の使用者のログ情報を送信することが無いため、より適切に端末の使用者のプライバシを保護することが可能となる。
【０１８３】
また、本発明のログ情報管理装置１０は、ログ送信用データ作成部６６は、ＵＩＭ識別子等、端末１の使用者を示す情報を暗号化して送信するためログ情報のネットワークへの流出や、サーバへの不正サクセスにより、ログ情報が悪意を持った人間にさらされた場合に当該ログ情報を生成した使用者が特定され、プライバシが侵害される危険性を減少させることができる。
【０１８４】
また、本発明のログ情報管理装置１０は、ログ送信用データ作成部６６は、ＵＩＭ識別子等を暗号化した識別子を複数有し当該複数の識別子のうち何れか一つをログ送信用データに含めるため、ログ送信用データ毎に異なる識別子が含まれることとなり、第三者はログ送信用データが同一人物のものであるか否かを判断することが困難となり、端末１の使用者のプライバシをより適切に保護することが可能となる。
【０１８５】
また、本発明のログ情報管理装置１０は、遠隔命令受信部６１が受信するログ送信指示に関する情報が端末１を特定して送信されたものである場合に、ログ送信用データ作成部６６は、不正利用に関わるログ種別であるログ情報からログ送信用データを作成するため、第三者によって不正にＵＩＭが差し替えられた場合であっても端末１に対する遠隔操作が可能となり、且つ、端末１の使用者のプライバシに関わるログ情報の送信を最小限に抑えることとなる。それによって、情報操作或いは情報漏えいの把握とプライバシ保護との両立がより適切に可能となる。
【図面の簡単な説明】
【０１８６】
【図１】本発明におけるログ情報管理装置の機能構成図である。
【図２】図１に記載されたログ種別情報保持部が保持する情報の例である。
【図３】図１に記載されたログ種別情報保持部が保持する情報の例である。
【図４】図１に記載された制御情報保持部が保持する情報の例である。
【図５】図１に記載された制御情報保持部が保持する情報の例である。
【図６】図１に記載された端末のハードウェア構成図である。
【図７】図１に記載されたログ情報管理装置の処理の流れを示す図である。
【図８】図１に記載されたログ情報管理装置の処理の流れを示す図である。
【図９】図１に記載されたログ情報管理装置のバックアップ処理の流れを示す図である。
【図１０】図１に記載されたログ情報管理装置のログ情報送信処理の流れを示す図である。
【図１１】図１に記載されたログ情報管理装置のログ操作の反映処理の流れを示す図である。
【図１２】図１に記載されたログ情報管理装置のアクセスポリシの反映処理の流れを示す図である。
【符号の説明】
【０１８７】
１…端末、２…デバイス管理サーバ、３…ログサーバ、４…バックアップ先サーバ、１０…ログ情報管理装置、２０…第一ログ情報保持部、３０…第二ログ情報保持部、４０…ログ情報収集部、４１…ログ種別情報保持部、４２…ログ情報保持態様決定部、５０…直接操作部、５１…制御情報保持部、５２…第一ログ操作制御部、５３…第二ログ操作制御部、６０…遠隔操作部、６１…遠隔命令受信部、６２…操作制限部、６３…ロック実行部、６４…バックアップデータ作成部、６５…バックアップデータ送信部、６６…ログ送信用データ作成部、６７…ログ送信部、６８…情報消去部、８０…要管理情報保持部。
【図１】
2010114751.tif 000003
【図２】
2010114751.tif 000004
【図３】
2010114751.tif 000005
【図４】
2010114751.tif 000006
【図５】
2010114751.tif 000007
【図６】
2010114751.tif 000008
【図７】
2010114751.tif 000009
【図８】
2010114751.tif 000010
【図９】
2010114751.tif 000011
【図１０】
2010114751.tif 000012
【図１１】
2010114751.tif 000013
【図１２】
2010114751.tif 000014